(57)【要約】【課題】本発明は、電源オン時の突入電流を安価かつ適切に抑制する電源制御装置、インターロック装置及び電気機器に関する。【解決手段】インターロック装置１は、電気機器の開閉部の機械的な開閉操作に連動してオン／オフ動作して電気機器の電源部２から負荷３への電力の供給停止及び停止の解除を行うスイッチ部４に並列に、少なくともスイッチ部４がオフの場合に電源部２から負荷３に微小電流を流す抵抗５が接続されている。したがって、簡単かつ安価な構成で、負荷３への電力の供給が停止されている間に、負荷コンデンサ（容量）成分を充電することができ、電力供給開始時に、安価かつ適切に突入電流を抑制することができるとともに、適切な電力を供給することができる。【選択図】          図１
2008067517.tif 000002
【特許請求の範囲】
【請求項１】
電源部と該電源部から電力の供給される被電源供給部との間に配設され該電源部から該被電源供給部への電力の供給を制御する電源制御装置において、前記電源部と前記被電源供給部との間の電力ラインに直列に接続され該電源部から該被電源供給部への電力の供給／停止を行う電力供給／停止手段と、該電力供給／停止手段に並列に接続され少なくとも該電力供給／停止手段が電力供給を停止している間に該電源部から該被電源供給部に所定の電流を流すバイパス手段と、を備えていることを特徴とする電源制御装置。
【請求項２】
所定の装置の電源部と該電源部から電力が供給される被電源供給部との間に配設され、前記装置の所定の機械的操作に連動してオン／オフ動作して前記被電源供給部への電力の供給停止及び停止の解除を行うインターロックスイッチを備えたインターロック装置において、前記インターロックスイッチに並列に、少なくとも該インターロックスイッチがオフの場合に該電源部から該被電源供給部に所定の電流を流すバイパス手段が接続されていることを特徴とするインターロック装置。
【請求項３】
電源部から被電源供給部に電源が供給され該被電源供給部の動作によって各種動作処理を行う電気機器において、前記電源部と前記被電源供給部との間に請求項１記載の電源制御装置または／及び請求項２記載のインターロック装置が配設されていることを特徴とする電気機器。
【請求項４】
前記電気機器は、所定の画像形成方式で記録媒体に画像を形成する画像形成装置であることを特徴とする請求項３記載の電気機器。
【請求項５】
前記電力供給／停止手段または前記インターロックスイッチは、マイクロスイッチであることを特徴とする請求項１から請求項４のいずれかに記載の電源制御装置、インターロック装置または電気機器。
【請求項６】
前記電力供給／停止手段または前記インターロックスイッチは、前記電源部からの電力で動作するリレーであることを特徴とする請求項１から請求項４のいずれかに記載の電源制御装置、インターロック装置または電気機器。
【発明の詳細な説明】
【技術分野】
【０００１】
本発明は、電源制御装置、インターロック装置及び電気機器に関し、詳細には、電源オン時の突入電流を安価かつ適切に抑制する電源制御装置、インターロック装置及び電気機器に関する。
【背景技術】
【０００２】
従来から画像形成装置や画像読取装置等の電気機器においては、電源部と電気機器の被電源供給部との間にスイッチ部を設けて、スイッチ部がオンされると、電源部から被電源供給部に電力を供給して、該電機器機を動作させているが、スイッチのオン時に過渡的に過大な突入電流が被電源供給部に流れ、被電源供給部の誤動作やノイズの発生等の原因となる。
【０００３】
特に、レーザファクシミリ装置、複写装置及びプリンタ等の画像形成装置等の内部に高電圧を使用する負荷や高温を発生する負荷を有する電気機器においては、感電や火傷等を防止するために、カバーの開閉等の機械的操作に応じて上記負荷への電源供給を制御するインターロック装置が設けられており、インターロック装置としては、従来、カバーの開閉等の電気装置の機械的操作に連動してオン／オフ（ＯＮ／ＯＦＦ）するインターロックスイッチを電源部と負荷との間に直列に挿入したインターロック装置や、電気機器の機械的操作に連動してリレーコイルへの電源供給をオン／オフするリレーを設け、このリレーの接点を電源と負荷との間に直列に挿入したインターロック装置等がある。
【０００４】
ところが、このような従来のインターロック装置は、インターロックスイッチやリレー接点が閉じたときに、過渡的に過大な突入電流が電流ラインを流れる。
【０００５】
すなわち、従来の電気機器においては、図６に示すように、電源部１０１と負荷１０２との間に、マイクロスイッチ等のスイッチ（インターロックスイッチ）１０３が設けられており、スイッチ１０３がオンすることで、電源部１０１から負荷１０２に電力が供給される。
【０００６】
ところが、電気機器の負荷１０２には、その回路構成によって、負荷抵抗成分１０２Ｒと負荷コンデンサ成分１０２Ｃとがあり、接続された負荷コンデンサ成分１０２Ｃは、電源オフの間に放電され、スイッチ１０３がオンされると、この負荷コンデンサ成分１０２Ｃへの大きな充電電流がスイッチ１０３を通って直接流れる。この突入電流は、電圧条件や部品条件等にもよるが、画像形成装置等の電気機器においては、突入電流として１００Ａを超える場合もあり、回路部品やスイッチ部品の耐久性や回路設計における負荷１０２の負荷コンデンサ成分１０２の選定が課題となっていた。
【０００７】
そこで、従来、突入電流を抑制するために、供給電源の出力側と負荷回路の入力側の間にエミッタ及びコレクタの接続されたトランジスタと、供給電源の出力側と該トランジスタのベースの間に接続され供給電源のオンによりベース電流を供給しトランジスタを作動させる作動回路と、該トランジスタのベースに接続されベース電流を制御するベース制御回路を備えた突入電流抑制回路が提案されている（特許文献１参照）。すなわち、この従来技術は、スイッチ部で電源のオン／オフを行うが、このスイッチ部でオン／オフされる電源と負荷回路との間にトランジスタを用いた突入電流抑制回路を設けて、電源のオン時にトランジスタを通して負荷回路に流れる電流を制御している。
【０００８】
また、従来、電源と負荷との間に負荷への電力の供給を遮断可能な無接点スイッチと機械的に接続を遮断可能な遮断部を直列に接続し、無接点スイッチと並列に抵抗を接続して、突入電流を抵抗で抑制し、また、無接点スイッチを一定時間後にオンさせることで、負荷への適切な電力供給を行う直流リレーが提案されている（特許文献２参照）。
【０００９】
【特許文献１】特開２００５−３５４８５５号公報
【特許文献２】特開２００５−１９１０７号公報
【発明の開示】
【発明が解決しようとする課題】
【００１０】
しかしながら、上記従来技術にあっては、適切かつ安価に突入電流を抑制するとともに、被電源供給部に適切な電力供給を行う上で、改良の必要があった。
【００１１】
すなわち、特許文献１記載の従来技術にあっては、スイッチ部でオン／オフされる電源をトランジスタを用いた突入電流制御回路で電流制御しているため、スイッチ部とは別に突入電流制御回路を設ける必要があり、コストが高くつくとともに、トランジスタのベース電流を抵抗によって制御することで、負荷回路への突入電流の抑制とその後の定常状態の負荷電流の制御を行っているため、定常時の電流がトランジスタの内部抵抗の影響を受けることとなり、安価に、適切な突入電流の抑制と定常状態での適切な電流供給を行う上で、改良の必要があった。
【００１２】
また、特許文献２記載の従来技術にあっては、機械的な遮断部と直列に無接点スイッチを接続するとともに、無接点スイッチに並列に抵抗を接続して、電源オン時の突入電流を抵抗で抑制するとともに、その後に無接点スイッチをオンさせることで、定常状態での電流供給の適正化を図っているため、回路構成が複雑で高価なものとなり、安価に、適切な突入電流の抑制と定常状態での適切な電流供給を行う上で、改良の必要があった。
【００１３】
そこで、本発明は、簡単な回路構成で、適切な突入電流の抑制と定常状態での適切な電流供給を行う電源制御装置、インターロック装置及び電気機器を提供することを目的としている。
【課題を解決するための手段】
【００１４】
請求項１記載の発明の電源制御装置は、電源部と該電源部から電力の供給される被電源供給部との間に配設され該電源部から該被電源供給部への電力の供給を制御する電源制御装置において、前記電源部と前記被電源供給部との間の電力ラインに直列に接続され該電源部から該被電源供給部への電力の供給／停止を行う電力供給／停止手段と、該電力供給／停止手段に並列に接続され少なくとも該電力供給／停止手段が電力供給を停止している間に該電源部から該被電源供給部に所定の電流を流すバイパス手段と、を備えていることにより、上記目的を達成している。
【００１５】
請求項２記載の発明のインターロック装置は、所定の装置の電源部と該電源部から電力が供給される被電源供給部との間に配設され、前記装置の所定の機械的操作に連動してオン／オフ動作して前記被電源供給部への電力の供給停止及び停止の解除を行うインターロックスイッチを備えたインターロック装置において、前記インターロックスイッチに並列に、少なくとも該インターロックスイッチがオフの場合に該電源部から該被電源供給部に所定の電流を流すバイパス手段が接続されていることにより、上記目的を達成している。  請求項３記載の発明の電気機器は、電源部から被電源供給部に電源が供給され該被電源供給部の動作によって各種動作処理を行う電気機器において、前記電源部と前記被電源供給部との間に請求項１記載の電源制御装置または／及び請求項２記載のインターロック装置が配設されていることにより、上記目的を達成している。
【００１６】
請求項３の場合、例えば、請求項４に記載するように、前記電気機器は、所定の画像形成方式で記録媒体に画像を形成する画像形成装置であってもよい。
【００１７】
また、上記各場合において、例えば、請求項５に記載するように、前記電力供給／停止手段または前記インターロックスイッチは、マイクロスイッチであってもよい。
【００１８】
さらに、例えば、請求項６に記載するように、前記電力供給／停止手段または前記インターロックスイッチは、前記電源部からの電力で動作するリレーであってもよい。
【発明の効果】
【００１９】
本発明の電源制御装置によれば、電源部と被電源供給部との間の電力ラインに直列に該電源部から該被電源供給部への電力の供給／停止を行う電力供給／停止手段が接続され、該電力供給／停止手段に並列に、少なくとも該電力供給／停止手段が電力供給を停止している間に該電源部から該被電源供給部に所定の電流を流すバイパス手段が接続されているので、簡単かつ安価な構成で、被電源供給部への電力の供給が停止されている間に、被電源供給部の容量成分を充電することができ、電力供給開始時に、安価かつ適切に突入電流を抑制することができるとともに、定常時に適切な電力を供給することができる。
【００２０】
また、本発明のインターロック装置によれば、装置の所定の機械的操作に連動してオン／オフ動作して装置の電源部から被電源供給部への電力の供給停止及び停止の解除を行うインターロックスイッチに並列に、少なくとも該インターロックスイッチがオフの場合に該電源部から該被電源供給部に所定の電流を流すバイパス手段が接続されているので、簡単かつ安価な構成で、被電源供給部への電力の供給が停止されている間に、被電源供給部の容量成分を充電することができ、電力供給開始時に、安価かつ適切に突入電流を抑制することができるとともに、定常時に適切な電力を供給することができる。
【００２１】
さらに、本発明の電気機器によれば、電気機器の電源部と被電源供給部との間に請求項１記載の電源制御装置または／及び請求項２記載のインターロック装置が配設されているので、簡単かつ安価な構成で、被電源供給部への電力の供給が停止されている間に、被電源供給部の容量成分を充電することができ、電力供給開始時に、安価かつ適切に突入電流を抑制することができるとともに、定常時に適切な電力を供給することができる。
【発明を実施するための最良の形態】
【００２２】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２３】
図１及び図２は、本発明の電源制御装置、インターロック装置及び電気機器の第１実施例を示す図であり、図１は、本発明の電源制御装置、インターロック装置及び電気機器の第１実施例を適用したインターロック装置１の回路ブロック構成図である。
【００２４】
図１において、インターロック装置１は、電源部２と被電源供給部である負荷３との間に直列に接続されており、インターロック装置１は、スイッチ部（電力供給／停止手段）４とスイッチ部４に並列に接続されている抵抗（バイパス手段）５とを備えている。負荷３は、接地されており、インターロック装置１のスイッチ部４がオンの定常状態のときに、電源部２からインターロック装置１のスイッチ部４を通して定常電流が流れて、電力が供給される。
【００２５】
具体的には、インターロック装置（電源制御装置）１は、図２に示すように、スイッチ部４として、マイクロスイッチ４ａが用いられ、抵抗５としては、所定の抵抗値の抵抗が用いられる。
【００２６】
なお、図２では、電源部２として、直流電源が用いられている場合を示しており、また、負荷３は、負荷抵抗成分３Ｒと負荷コンデンサ成分３Ｃを有している。
【００２７】
このインターロック装置１は、そのスイッチ部４が、例えば、電気機器の開閉部、例えば、ファクシミリ装置、プリンタ装置等の電気機器の開閉扉や給紙トレイ等の開閉部に、マイクロスイッチ４ａが配設され、マイクロスイッチ４ａは、該開閉部の開動作（機械的操作）でオフ操作され、閉動作でオン操作される。すなわち、マイクロスイッチ４ａは、開閉部の開閉動作で、オフ／オンされる。
【００２８】
抵抗５は、少なくともマイクロスイッチ４ａのオフ時に、負荷３の負荷コンデンサ成分３Ｃを充電させる微少電流を流すのに十分な抵抗値のものが用いられている。特に、抵抗５は、スイッチ部４がオフ状態のときの消費電力を小さくするために、充電された負荷コンデンサ成分３Ｃの漏れ電流を補うことのできる最小限の電荷量を供給可能な抵抗値のものが用いられている。
【００２９】
また、負荷３がスイッチ部４で直接動作制御される場合には、図示されるように負荷３の負荷抵抗成分３Ｒは一定で、この負荷抵抗成分３Ｒには、スイッチ部４がオフ状態のときにある程度の電流が流れ、負荷コンデンサ成分３Ｃは、抵抗５と負荷抵抗成分３Ｒで分圧された電源電圧で充電される。したがって、充電される電荷量は、その後にスイッチ部４が閉じて定常状態になった場合よりも小さくなる。しかし、スイッチ部４が閉じる前にある程度は充電されることになるので、突入電流を抑制することができる。
【００３０】
後述するが、図５の画像形成装置のように、負荷３が前記スイッチ部４で直接動作制御されない場合には、負荷抵抗成分３Ｒは、スイッチ部４がオン状態で制御もオン状態のとき以外は非常に大きな値となり、負荷抵抗成分３Ｒには電流はほとんど流れず、負荷コンデンサ成分３Ｃは、ほとんど１００％の電源電圧で充電される。したがって、その後にスイッチ部４が閉じてもほとんど突入電流は流れない。
【００３１】
次に、本実施例の作用を説明する。本実施例のインターロック装置１は、スイッチ部４がオフの間に抵抗５を通して負荷３のうち負荷コンデンサ成分３Ｃを充電して、スイッチ部４が投入されたときの突入電流を抑制するとともに、定常時（負荷動作時）に適正電流を負荷３に供給する。
【００３２】
すなわち、インターロック装置１は、定常状態時（負荷動作時）、スイッチ部４のマイクロスイッチ４ａが閉じ、マイクロスイッチ４ａを通して、電源部２から負荷３に定常電流を供給する。
【００３３】
この定常状態（負荷動作状態）において、オン状態であるスイッチ部４のマイクロスイッチ４ａが抵抗５の両端を短絡状態とするので、所望の定常電流を負荷３に安定して供給することができる。
【００３４】
そして、インターロック装置１は、この定常状態（負荷動作状態）において、電気機器の開閉部が開かれると、スイッチ部４のマイクロスイッチ４ａがオフになり、電源部２から負荷３への定常電流の供給を遮断して、電源オフ状態とする。
【００３５】
この電源オフ状態で、インターロック装置１は、開（オフ）となったマイクロスイッチ４ａに並列に抵抗５が接続されているため、電源部２から微少電流が抵抗５を通して負荷３の負荷コンデンサ成分３Ｃに流れて、負荷コンデンサ成分３Ｃを充電させる。
【００３６】
そして、電源オフ状態において、電気機器の開かれた開閉部が閉じられると、マイクロスイッチ４ａがオン（閉）となって、電源部２からマイクロスイッチ４ａを通して、負荷３に電力の供給が開始される。このとき、負荷３の負荷コンデンサ成分３Ｃには、電源オフ時に抵抗５を通して、ある程度または満杯に充電されており、マイクロスイッチ４ａがオンしたときの突入電流を抑制することができる。
【００３７】
このように、本実施例のインターロック装置１は、電気機器の開閉部の機械的な開閉操作に連動してオン／オフ動作して電気機器の電源部２から負荷３への電力の供給停止及び停止の解除を行うスイッチ部４に並列に、少なくともスイッチ部４が電力の供給を停止している間に電源部２から負荷３に微小電流を流す抵抗５が接続されている。
【００３８】
したがって、簡単かつ安価な構成で、負荷３への電力の供給が停止されている間に、負荷コンデンサ（容量）成分３Ｃを充電することができ、電力供給開始時に、安価かつ適切に突入電流を抑制することができるとともに、適切な電力を供給することができる。
【００３９】
また、本実施例のインターロック装置１は、スイッチ部４として、マイクロスイッチ４ａを用いている。
【００４０】
したがって、より一層安価かつ簡単な構成で電力供給開始時に、安価かつ適切に突入電流を抑制することができるとともに、適切な電力を供給することができる。
【００４１】
なお、上記説明では、負荷３が、接地されていて、インターロック装置１のスイッチ部４（マイクロスイッチ４ａ）がオンの定常状態のときに、インターロック装置１の抵抗５を通して、負荷３の負荷抵抗成分３Ｒに常に電流が流れるような構成となっているが、スイッチ部４（マイクロスイッチ４ａ）のがオンのときに負荷抵抗成分３Ｒに流れる電流をオン／オフ制御可能な構成（例えば、直接ＧＮＤ接続しない構成）としてもよい。
【実施例２】
【００４２】
図３は、本発明の電源制御装置、インターロック装置及び電気機器の第２実施例を適用したインターロック装置１０の回路構成図である。
【００４３】
なお、本実施例の説明においては、上記第１実施例のインターロック装置１と同様の構成部分については、同一の符号を付して、その詳細な説明を省略する。
【００４４】
図３において、インターロック装置１０は、電源部２と被電源供給部である負荷３との間に直列に接続されており、インターロック装置１０は、スイッチ部（電力供給／停止手段）１１とスイッチ部４に並列に接続されている抵抗（バイパス手段）５とを備えている。
【００４５】
スイッチ部１１は、リレー１２、リレー制御部１３及びリレー駆動用電源１４を備えており、リレー１２は、電源部２と負荷３との間の電力ラインに直列に接続されて該電力ラインを開閉するリレー接点１２ａと、リレー接点１２ａを開閉駆動させる駆動コイル１２ｂを有している。駆動コイル１２ｂの両端にリレー駆動用電源１４が接続され、駆動コイル１２ｂとリレー駆動用電源１４との間にリレー制御部１３が接続されている。
【００４６】
このインターロック装置１０は、そのスイッチ部１１のリレー制御部１３が、例えば、電気機器の開閉部（例えば、ファクシミリ装置、プリンタ装置等の電気機器の開閉扉や給紙トレイ等の開閉部等）の開閉動作（機械的操作）を検知するセンサからの信号や該電気機器の図示しない制御部からの電源のオン／オフ信号に応じて、電源部１２から駆動コイル１２ｂへの駆動電流の供給／停止を制御して、駆動コイル１２ｂに駆動電流を供給している間、リレー接点１２ａをオンさせて、電源部２から負荷３に定常電流を供給させ、また、駆動コイル１２ｂへの駆動電流の供給を停止している間、リレー接点１２ａをオフさせて、電源部２から負荷３への定常電流の供給を停止させる。
【００４７】
抵抗５は、第１実施例と同様に、リレー１２のリレー接点１２ａのオフ時に、負荷３の負荷コンデンサ成分３Ｃを充電させる微少電流を流すのに十分な抵抗値のものが用いられている。特に、抵抗５は、スイッチ部１１のリレー１２がオフ状態のときの消費電力を小さくするために、充電された負荷コンデンサ成分３Ｃの漏れ電流を補うことのできる最小限の電荷量を供給可能な抵抗値のものが用いられている。
【００４８】
次に、本実施例の作用を説明する。本実施例のインターロック装置１０は、スイッチ部１１がオフの間に抵抗５を通して負荷３のうち負荷コンデンサ成分３Ｃを充電して、スイッチ部４が投入されたときの突入電流を抑制するとともに、定常時（負荷動作時）に適正電流を負荷３に供給する。
【００４９】
すなわち、インターロック装置１０は、定常状態時（負荷動作時）、スイッチ部１１のリレー制御部１３がリレー駆動用電源１４から駆動コイル１２ｂに駆動電流を流させて、リレー接点１２ａが閉じさせ、電源部２から負荷３に定常電流を供給させる。
【００５０】
この定常状態（負荷動作状態）において、オン状態であるスイッチ部１１のリレー１２のリレー接点１２ｂが抵抗５の両端を短絡状態とするので、所望の定常電流を負荷３に安定して供給することができる。
【００５１】
そして、インターロック装置１０は、この定常状態（負荷動作状態）において、電気機器の開閉部が開かれたことを検知するセンサからの開信号や電気機器の制御部からの電源オフ信号がスイッチ部１１のリレー制御部１３に入力されると、リレー制御部１３がリレー駆動用電源１４から駆動コイル１２ｂへの駆動電流の供給を停止させ、リレー１２のリレー接点１２ａをオフにして、電源部２から負荷３への定常電流の供給を遮断して、電源オフ状態とする。
【００５２】
この電源オフ状態で、インターロック装置１０は、開（オフ）となったリレー１２のリレー接点１２ａに並列に抵抗５が接続されているため、電源部２からの微少電流が抵抗５を通して負荷３の負荷コンデンサ成分３Ｃに流れて、負荷コンデンサ成分３Ｃを充電させる。
【００５３】
そして、電源オフ状態において、電気機器の開かれた開閉部が閉じられたことを示す信号や電気機器の制御部からの電源オン信号がリレー制御部１３に入力されると、リレー制御部１３がリレー駆動用電源１４から駆動コイル１２ｂに駆動電流を供給させて、リレー接点１２ａをオン（閉）させ、電源部２からリレー１２のリレー接点１２ａを通して、負荷３に電力が供給される。このとき、負荷３の負荷コンデンサ成分３Ｃには、電源オフ時に抵抗５を通して、ある程度または満杯に充電されており、リレー接点１２ａがオンしたときの突入電流を抑制することができる。
【００５４】
このように、本実施例のインターロック装置１０は、インターロック装置１０として、リレー１２を用いているため、簡単な構成で、負荷３への電力の供給が停止されている間に、負荷コンデンサ（容量）成分３Ｃを充電することができ、電力供給開始時に、安価かつ適切に突入電流を抑制することができるとともに、適切な電力を供給することができる。
【００５５】
なお、上記説明では、スイッチ部１１が、リレー１２を駆動させる電源として、専用の電源であるリレー駆動用電源１４を用いているが、リレー１２を駆動させるための電源としては、専用の電源に限るものではなく、例えば、図４に示すように、リレー１２の駆動コイル１２ｂを電気機器の電源２に接続して、電気機器の電源２を利用したスイッチ部２０としてもよい。
【００５６】
なお、図４では、リレー制御部１３として、電気機器の開閉部に設けられたマイクロスイッチ２１が用いられている場合を示している。
【００５７】
したがって、図４のインターロック装置１０の場合、電気機器の開閉部が閉じられているときには、スイッチ部２０のマイクロスイッチ２１が閉じて（オンとなって）、リレー１２の駆動コイル１２ｂに電源部２から駆動電流が流れて、リレー接点１２ａがオン（閉）となり、電源部２から負荷３に定常電流が流れる。そして、電気機器の開閉部が開けられると、マイクロスイッチ２１が開いて（オフとなって）、リレー１２の駆動コイル１２ｂへの駆動電流が遮断されて、リレー接点１２ａがオフ（開）となる。
【００５８】
このインターロック装置２０では、スイッチ部２０に専用の電源を用いず、かつ、スイッチ部２０に容量性の負荷が存在しないため、マイクロスイッチ２１がオンとなったときに駆動コイル１２ｂには、大きな突入電流が流れることがなく、マイクロスイッチ２１として電流定格の小さな部品を用いることができ、小型で安価なマイクロスイッチ２１を用いることができる。したがって、インターロック装置２０を小型で安価なものとすることができる。
【実施例３】
【００５９】
図５は、本発明の電源制御装置、インターロック装置及び電気機器の第３実施例を適用した画像形成装置３０の要部ブロック構成図である。
【００６０】
図５において、画像形成装置（電気機器）３０は、電源ユニット４０、ヒータ（定着ヒータ）５０、エンジン制御部５１、出力制御部５２、コントローラ５３、２４ＶＲ駆動負荷５４及び２４ＶＳ駆動負荷５５等を備えているとともに、インターロック装置６０とインターロック装置７０を備えている。
【００６１】
電源ユニット４０は、２４Ｖ、１２Ｖ及び５Ｖの３つのＰＳＵ（Power Supply Unit ：電源供給部）４１〜４３、ゼロクロス信号発生回路４４、定着ドライブ回路４５及び５Ｖｂ出力制御スイッチ４６等を備えているとともに、インターロック装置６０のリレー６１と抵抗６２を内蔵し、さらに、インターロック装置７０の抵抗７１を内蔵している。
【００６２】
各ＰＳＵ４１〜４３には、１００Ｖの商用交流電源が入力され、ＰＳＵ（電源部）４１は、該１００Ｖの商用交流電源を２４Ｖの直流（ＤＣ）電源に変換して、インターロック装置６０を通して出力制御部５２に２４ＶＲとして供給するとともに、インターロック装置７０を通して出力制御部５２に２４ＶＳとして供給し、また、ゼロクロス信号発生回路４４と定着ドライブ回路４５に供給する。
【００６３】
ＰＳＵ４２は、１００Ｖの商用交流電源を１２Ｖの直流（ＤＣ）電源に変換して、エンジン制御部５１に供給し、ＰＳＵ４３は、１００Ｖの商用交流電源を５Ｖの直流（ＤＣ）電源に変換して、エンジン制御部５１の５Ｖａ端子に直接供給するとともに、５Ｖｂ出力制御スイッチ４６を介してエンジン制御部５１の５Ｖｂ端子に供給する。
【００６４】
エンジン制御部５１は、ＰＳＵ４２からの１２Ｖ電源を、さらに、コントローラ５３に出力し、コントローラ５３は、主にハードディスクの駆動電源として１２Ｖ電源を使用する。
【００６５】
また、エンジン制御部５１は、ＰＳＵ４３からの５Ｖａ電源及び５Ｖｂ電源を、さらに、コントローラ５３に出力し、コントローラ５３は、システムとして５Ｖｂ出力の要／不要を判断して（システムの待機時や動作時は必要と判断し、システムのオフモードや省エネモード等では不要と判断する。）、オン／オフ制御信号を、エンジン制御部５１に出力する。エンジン制御部５１は、コントローラ５３から入力されるオン／オフ制御信号を電源ユニット１０の５Ｖｂ出力制御スイッチ４６に出力し、５Ｖｂ出力制御スイッチ４６をオン／オフ制御する。
【００６６】
インターロック装置６０は、リレー（電源供給／停止手段）６１とリレー６１に並列に接続された抵抗（バイパス手段）６２を有し、リレー６１は、そのリレー接点６１ａが２４ＶのＰＳＵ４１と出力制御部５２との間に直列に接続されている。リレー６１の駆動コイル６１ｂは、一方端が接地され、他方端が、インターロック装置７０とゼロクロス信号発生回路４４との間に接続されている。
【００６７】
インターロック装置７０は、上記抵抗（バイパス手段）７１とマイクロスイッチ（電力供給／停止手段）７２が並列接続されており、マイクロスイッチ７２は、画像形成装置３０のドアや給紙トレイ等の開閉部に設けられていて、開閉部が機械的操作によって開かれると、オフ（開）となり、開閉部が閉じられると、オン（閉）となる。
【００６８】
画像形成装置３０の開閉部が閉じられて、インターロック装置７０のマイクロスイッチ７２がオンすると、インターロック装置７０を通して、ＰＳＵ４１から２４Ｖの直流電圧による定常電流がゼロクロス信号発生回路４４と定着ドライブ回路４５に供給され、また、インターロック装置６０の駆動コイル６１ｂに駆動電流が流れる。
【００６９】
インターロック装置６０は、駆動コイル６１ｂに駆動電流が流れると、リレー接点６１ａがオンして、ＰＳＵ４１を出力制御部５２に接続し、ＰＳＵ４１から２４Ｖの直流電圧による待機時の定常待機電流が出力制御部５２に２４ＶＲとして供給される。
【００７０】
このとき供給される電流は、出力制御部５２に供給されるものであり、２４ＶＲ駆動負荷５４や２４ＶＳ駆動負荷５５は、エンジン制御部５１からの信号でオン制御されていないので、これらの負荷に流れる電流ではない。
【００７１】
ゼロクロス信号発生回路４４は、ゼロクロス信号をエンジン制御部５１へ出力し、エンジン制御部５１は、このゼロクロス信号によるゼロクロスタイミングと定着部のヒータ点灯条件を判断して定着制御信号を定着ドライブ回路４５に出力する。
【００７２】
定着ドライブ回路４５は、ゼロクロス信号発生回路４４からのゼロクロス信号とエンジン制御部５１からの定着制御信号に基づいてヒータ５０への駆動電流を制御して、ヒータ５０を加熱制御する。ヒータ５０は、電子写真方式でトナー画像の転写された用紙を搬送しつつ加熱加圧して、トナー画像を用紙に定着させる図示しない定着部の加熱ローラを加熱する。
【００７３】
出力制御部５２は、負荷制御ブロック部５２ａを備えており、電源ユニット４０のＰＳＵ４１から２４ＶＳおよび２４ＶＲが、負荷制御ブロック部５２ａに電源として入力される。出力制御部５２は、その負荷制御ブロック部５２ａがその負荷にコンデンサ成分を有しているため、２４ＶＳおよび２４ＶＲの入力部に、それぞれ負荷コンデンサ（容量）成分５２ＳＣと負荷コンデンサ成分５２ＲＣが接続されている状態となる。負荷制御ブロック部５２ａは、エンジン制御部５１からの負荷制御信号が入力され、この負荷制御信号に基づいて、２４ＶＲ駆動負荷５４と２４ＶＳ駆動負荷５５への通電制御を行う。２４ＶＲ駆動負荷５４は、２４ＶＲ電源で駆動される負荷であり、２４ＶＳ電源で駆動される負荷である。
【００７４】
次に、本実施例の作用を説明する。本実施例の画像形成装置３０は、インターロック装置６０のリレー６１のリレー接点６１ａがオン（閉）状態のときに、該リレー接点６１ａを通してＰＳＵ４１から出力制御部５２に定常待機時の２４ＶＲを供給し、また、インターロック装置７０のマイクロスイッチ７２がオン（閉）状態のときに、ＰＳＵ４１から該マイクロスイッチ７２を通して出力制御部５２に定常待機時の２４ＶＳを供給するとともに、ゼロクロス信号発生回路４４及び定着ドライブ回路４５に定常待機時の２４ＶＳを供給する。
【００７５】
この定常待機状態において、画像形成装置３０のドア等の開閉部が開かれると、インターロック装置７０のマイクロスイッチ７２がオフ（開）となって、出力制御部５２への２４ＶＳの供給を停止するとともに、ゼロクロス信号発生回路４４及び定着ドライブ回路４５への２４ＶＳの供給を停止し、インターロック装置６０の駆動コイル６１ｂに供給していた駆動電流を停止する。
【００７６】
そして、インターロック装置６０は、駆動コイル６１ｂへの駆動電流の供給が停止されると、リレー接点６１ａがオフ（開）となって、ＰＳＵ４１から出力制御部５２への２４ＶＲの供給を停止して、電源をオフ状態とする。
【００７７】
この電源オフ状態において、インターロック装置６０は、ＰＳＵ４１から抵抗６２を通して微少電流を出力制御部５２の負荷コンデンサ成分５２ＲＣに流して、負荷コンデンサ成分５２ＲＣを充電させ、また、インターロック装置７０は、ＰＳＵ４１から抵抗７１を通して微少電流を出力制御部５２の負荷コンデンサ成分５２ＳＣに流して、負荷コンデンサ成分５２ＳＣを充電させる。
【００７８】
そして、この電源オフ状態において、画像形成装置３０のドア等の開閉部が開状態から閉状態となると、インターロック装置７０のマイクロスイッチ７２がオンして、ＰＳＵ４１から該マイクロスイッチ７２を通して出力制御部５２に定常待機時の２４ＶＳの供給を開始するとともに、ゼロクロス信号発生回路４４及び定着ドライブ回路４５に定常待機時の２４ＶＳの供給を開始する。
【００７９】
このとき、出力制御部５２の負荷コンデンサ成分５２ＳＣは、上述のように、電源オフ状態において、予め抵抗７１を通して充電電流が供給されて充電されているため、マイクロスイッチ７２がオンしたときの負荷コンデンサ成分５２ＳＣに流れる過大な突入電流を抑制することができる。
【００８０】
また、マイクロスイッチ７２がオンすると、リレー６１の駆動コイル６１ｂに駆動電流が流れて、リレー接点６１ａがオンし、ＰＳＵ４１から出力制御部５２へ定常待機時の２４ＶＲの供給を開始する。
【００８１】
このとき供給される電流は、出力制御部５２に供給されるものであり、２４ＶＲ駆動負荷５４や２４ＶＳ駆動負荷５５は、エンジン制御部５１からの信号でオン制御されていないので、これらの負荷に流れる電流ではない。
【００８２】
そして、出力制御部５２の負荷コンデンサ成分５２ＲＣは、上述のように、電源オフ状態において、予め抵抗６２を通して充電電流が供給されて、ほぼ満杯状態で充電されているため、リレー接点６１ａがオンしたときの負荷コンデンサ成分５２ＲＣに流れる過大な突入電流を抑制することができる（ほとんど突入電流は流れない。）。
【００８３】
そして、マイクロスイッチ７２やリレー６１がオンすると、オフ時に抵抗７１や抵抗６２に流れていた微小電流は全てマイクロスイッチ７２やリレー６１に流れることになり、定常動作時や定常待機時に負荷電流が小さくなることはない。
【００８４】
このように、本実施例の画像形成装置３０は、画像形成装置３０のＰＳＵ４１と出力制御部５２、特に、負荷制御ブロック部５２ａとの間に、インターロック装置６０とインターロック装置７０が配設されている。
【００８５】
したがって、簡単かつ安価な構成で、負荷制御部ブロック部５２ａへの電力の供給が停止されている間に、出力制御部５２の負荷コンデンサ成分５２ＲＣ、５２ＳＣを充電することができ、電力供給開始時に、安価かつ適切に突入電流を抑制することができるとともに、適切な電力を供給することができる。
【００８６】
なお、本実施例においては、電気機器として、ファクシミリ装置、複合装置、プリンタ装置等の画像形成装置３０に適用した場合について説明したが、電気機器としては、これらの画像形成装置に限るものではなく、電源をオン／オフすることで、突入電流の発生するおそれのある機器一般に適用することができる。
【００８７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８８】
本発明は、電源をオフ／オンさせたときの過大な突入電流を安価にかつ適切に抑制する電源制御装置、インターロック装置及び電気機器に適用することができる。
【図面の簡単な説明】
【００８９】
【図１】本発明の電源制御装置、インターロック装置及び電気機器の第１実施例を適用したインターロック装置の回路ブロック構成図。
【図２】図１のインターロック装置の詳細な回路構成図。
【図３】電源制御装置、インターロック装置及び電気機器の第２実施例を適用したインターロック装置の回路構成図。
【図４】図３のインターロック装置の他の例を示す回路構成図。
【図５】電源制御装置、インターロック装置及び電気機器の第３実施例を適用した画像形成装置の要部ブロック構成図。
【図６】従来の電気機器の電源系統の回路ブロック図。
【符号の説明】
【００９０】
１  インターロック装置
２  電源部
３  負荷
３Ｒ  負荷抵抗成分
３Ｃ  負荷コンデンサ成分
４  スイッチ部
４ａ  マイクロスイッチ
５  抵抗
１０  インターロック装置
１１  スイッチ部
１２  リレー
１２ａ  リレー接点
１２ｂ  駆動コイル
１３  リレー制御部
１４  リレー駆動用電源
２０  スイッチ部
２１  マイクロスイッチ
３０  画像形成装置
４０  電源ユニット
４１〜４３  ＰＳＵ
４４  ゼロクロス信号発生回路
４５  定着ドライブ回路
４６  ５Ｖｂ出力制御スイッチ
５０  ヒータ（定着ヒータ）
５１  エンジン制御部
５２  出力制御部
５３  コントローラ
５４  ２４ＶＲ駆動負荷
５５  ２４ＶＳ駆動負荷
６０  インターロック装置
６１  リレー
６１ａ  リレー接点
６１ｂ  駆動コイル
６２  抵抗
７０  インターロック装置
７１  抵抗
７２  マイクロスイッチ
【図１】
2008067517.tif 000003
【図２】
2008067517.tif 000004
【図３】
2008067517.tif 000005
【図４】
2008067517.tif 000006
【図５】
2008067517.tif 000007
【図６】
2008067517.tif 000008